(57)【特許請求の範囲】
【請求項１】
容器（１）の口部（２）に装着される固定部（４）と、該固定部（４）にヒンジ結合するヒンジ部（６）を有する上蓋（５）からなり、該上蓋（５）の天面（１６）には容器口部（２）に内接するインナーリング（１０）と、前記固定部（４）と前記上蓋（５）とを一体に連結する周方向に破断可能なピルファープルーフバンド（１１）を備えたヒンジキャップで（３）あって、
前記上蓋（５）には、該上蓋（５）開放時に容器口部（２）に当接して該上蓋（５）を開放状態に保持する自由端を下方に形成した突片（１３）からなる開放保持手段と、前記上蓋（５）の天面（１６）から垂下し、該上蓋（５）閉鎖時にその下端が該容器（１）の該口部（２）の上端面に当接する荷重受け部（１４）とを有することを特徴とする、ヒンジキャップ。
【請求項２】
前記ピルファープルーフバンド（１１）は、その内面を前記荷重受け部（１４）の外側に備えたことを特徴とする、請求項１記載のヒンジキャップ。
【請求項３】
前記上蓋開放保持手段は、一対のヒンジ部（６）の中間位置で、前記上蓋（５）端部から垂下して下方に自由端を有する舌片状の突片（１３）からなることを特徴とする、請求項１記載のヒンジキャップ。
【請求項４】
前記上蓋は、天面に傾斜面を持つ周縁部（１８）と該傾斜面に囲まれた小円部（１７）を有し、該傾斜面の上端部が前記インナーリング（１０）よりも内方に位置することを特徴とする、請求項１記載のヒンジキャップ。
【請求項５】
前記上蓋は、前記周縁部（１８）の端部に前記ヒンジ部（６）の反対側に突出した鍔部（１９）を有することを特徴とする、請求項１記載のヒンジキャップ。
【請求項６】
前記鍔部（１９）の上面にリブ（２０）が形成されていることを特徴とする、請求項５記載のヒンジキャップ。
【発明の詳細な説明】
【技術分野】
【０００１】
本発明は、金型により一体成形され、容器の口部に打栓により装着される合成樹脂製のヒンジキャップに関するもので、さらに詳細には、容器口部に嵌合する固定部と容器を密封するインナーリングを有する上蓋と、前記固定部と上蓋とを連結するヒンジ形成部とからなる合成樹脂製のヒンジキャップに関する。
【背景技術】
【０００２】
従来より、ガムやチョコレートのような固体、あるいは調味料のような粉体や液体が収容されたガラス製、金属性あるいは合成樹脂製などの容器に装着された合成樹脂製のヒンジキャップは、上蓋がキャップ本体（固定部）とヒンジで結合されているので、使用時に蓋を容器から取り外す必要が無く、片手で容易に上蓋の開閉を行えるので利便性がよく多用されている。
【０００３】
このような方式のヒンジキャップにおいて具備すべき要件としては、
１．  店頭陳列時に未使用状態が確認できるいわゆるピルファープルーフ性を有すること。
２．  使用時に容器を傾けても上蓋が被さらずに開蓋状態が保たれること。
３．  打栓装着時における固定部およびヒンジ形成部の変形や破損に基づく液漏れがないこと。
４．  ヒンジキャップ全体の高さが低く、容器への装着安定性に優れ、使用樹脂量が少なく、かつ外観形状に優れていること。
などが要望されている。
【０００４】
このようなヒンジキャップには、使用時に容器を傾けて内容物を取り出す際に蓋が閉まってしまわずに開放状態が保たれるように、上蓋の底部に閉蓋時に容器口部の内周面に密接するシール部の一部にヒンジ部側に延出する延在部を形成し、該延在部の端部を開蓋時に容器口部の上縁に当接させて開蓋状態を保つようにしたものが見られる（例えば、特許文献１参照）。
【０００５】
かかるヒンジキャップは、上蓋開蓋時に前記シール面の延在部が容器口部に当接係止するので、容器を傾けて内容物を取出す場合に上蓋の被さりを防止することにより、容易にかつ安定して内容物を取出すことが出来るし、また上蓋閉蓋時にはシール部が容器口部に密接するので高い密閉性を確保することが出来、その上シール部の一部に引き裂き片を設けてピルファープルーフ性も有するものである。
【０００６】
また、特許文献２には、上蓋のヒンジ形成部(スカート部)のヒンジ間に係合凹部を形成し、ヒンジ形成部に連続する固定部(装着部)の肩部に係止突条を形成して、上蓋の開蓋に際して、前記係合凹部の上端縁部と係止突条の外端縁部とを係合させて使用時の上蓋の開蓋状態の維持を図り、また前記スカート部の一部にピルファープルーフ用の剥ぎ取り部が形成された合成樹脂製のヒンジキャップが記載されている。
【０００７】
【特許文献１】特開平１１−４３１６８号公報
【特許文献２】特開２００７−４５４７２号公報
【発明の開示】
【発明が解決しようとする課題】
【０００８】
前記特許文献１および特許文献２に示す従来例のヒンジキャップは、前記した具備要件１および２、すなわち、ピルファープルーフ性および使用時の開蓋状態の維持については、一応満足することができる。
しかし、特許文献１においては、固定部材の内周面に設けられた係合凸部および蓋部材の内周面に設けられた係合凸部が、容器口部の外周面に設けられた係合凹部にそれぞれ嵌合するものであるため、容器口部への打栓装着時の衝撃が大きく、キャップの変形や破損が生じやすい。またさらに、シール部の一部分が延出しているため、打栓装着時において容器口部に対しキャップが斜めかぶりを生じやすく、該延出部の変形等が生じる虞がある。さらに固定部が弱め線を介して上蓋に接続されているために、打栓装着時、該弱め線に衝撃が加わりやすく、容器口部に嵌合している固定部の変形や弱め線の破断が生じる恐れもあった。
また、特許文献２においては、装着部材の肩部に係合部を形成していることにより、ヒンジ部が係合部分よりも内方に位置しているために上蓋を大きく９０度以上回動させて係合させる必要があり、蓋の開閉に際してヒンジ部に不要の労力がかかり、破損が生じる虞がある。またこのような構造のためにキャップの全高が高いものとなり、容器への装着安定性に欠け、特にピルファープルーフ部を除去した後の上蓋の保持安定性に問題を残している。
【０００９】
本件発明は、上記したような従来例が有する問題点を解決するためになされたものであって、前記したヒンジキャップに要求される具備要件のすべてを同時に満たすこと、すなわちピルファープルーフ性を有し、内容物使用時に上蓋を開放状態に維持することができるとともに、打栓装着時に固定部の変形や弱化線の破断や変形を防止することができ、さらにキャップの全高を低くすることによりキャップの安定性を増し、外観にも優れまたキャップの原料となる合成樹脂の使用量を低減させることが可能なヒンジキャップを提供することを目的とする。
【課題を解決するための手段】
【００１１】
本発明は、容器の口部に装着される固定部と、該固定部にヒンジ結合するヒンジ部を有する上蓋からなり、前記上蓋の天面には容器口部に内接するインナーリングと、前記固定部と前記上蓋とを一体に連結する周方向に破断可能なピルファープルーフバンドを備えたヒンジキャップであって、前記上蓋には、該上蓋の天面から垂下し、前記上蓋開放時に容器の口部に当接して該上蓋を開放状態に保持する自由端を下方に形成した突片からなる開放保持手段と、前記上蓋閉鎖時にその下端が容器の口部の上端面に当接する荷重受け部とを有することを特徴とするものである。
【００１２】
前記ピルファープルーフバンドは、その内面を前記荷重受け部の外側に備えたことを特徴とする。
【００１３】
また、前記上蓋開放保持手段は、一対のヒンジ部の中間位置で、前記上蓋端部から垂下して下方に自由端を有する、舌片状の突片からなることを特徴とする。
【００１４】
また、前記上蓋は、天面に傾斜面を持つ周縁部と該傾斜面に囲まれた小円部を有し、該傾斜面の上端部が前記インナーリングよりも内方に位置することが望ましい。
【００１５】
また、前記上蓋は、前記周縁部の端部に前記ヒンジ部の反対側に突出した鍔部を有し、該鍔部の上面にリブが形成されていることが望ましい。
【発明の効果】
【００１６】
本発明は、上記したような構成を有し、特にヒンジ部およびピルファープルーフバンドを受け台の外側部分(領域)、すなわち容器の口部上縁端付近あるいはその上方に位置させて形成することができるので、従来のヒンジキャップに比べてキャップの全高が低くなり、外観形状が良くなる上に製造時に使用される合成樹脂の量を減らすことができる。
また本発明は、容器口部に係止する開放保持手段をヒンジ付近に形成したので全高を低く出来るととともに開蓋時に容易に係止させることができる。その上、このような受け台を形成することにより、容器使用時にピルファープルーフバンドを剥ぎ取り除去した後においても、ヒンジキャップを安定的に容器口部に保持できるし、又キャップ打栓時において打栓の衝撃による上蓋やヒンジ部やピルファープルーフバンドの変形等を少なくできる。
【００１７】
上記に加えて、打栓装着時の打栓力が、傾斜面で囲まれた小円部に加わり、該小円部からインナーリングに直達して容器口部へのキャップの装着を達成することができるので、固定部と上蓋とを接続する弱め線への応力集中を防ぐことができる。また小円部に形成した鍔の上面にリブを形成することにより開蓋時の天面部の変形を抑制して開蓋力を軽減することもできる。
【発明を実施するための最良の形態】
【００１８】
以下本発明を実施するための最良の形態を、図１〜図６を使って実施例に基づいて説明する。
【実施例１】
【００１９】
本実施例においては、容器に金属缶を使用した場合について詳述する。図1および図２において、１は容器、２は容器１の上縁部に形成された口部である。３はヒンジキャップであって、口部２に外挿固定される固定部４と上蓋５とからなり、その間をヒンジ部６で連結している。固定部４は、その内壁７が口部２の外周部に形成されたくびれ凹部８に沿って係合する形状をなし、また上蓋５には、口部２の開口面を完全に覆う天面１６が形成されている。
【００２０】
前記天面１６には、前記口部２に内挿されて口部の密封性を確保する円筒状のインナーリング１０が設けられる。また天面１６の外縁周部の一部には前記固定部４に連結するヒンジ部６が形成され、かつ天面１６の外縁周部のヒンジ部６を除く部分には、ヒンジ部６と同一円周上に沿って、使用前においては、弱化線９を介して固定部４と上蓋５の間を連結し、使用時に剥ぎ取りが可能なピルファープルーフバンド１１が形成されている。
【００２１】
また図３に示されるように、上蓋５に形成される天面１６は、小円部１７と傾斜面を有する周縁部１８と鍔部１９により構成され、図１に示されるように周縁部１８のうち、その上端部１８aがインナーリング１０を基準としてそれよりも内方に位置する。傾斜面の上端部１８aをインナーリング１０よりも内方に位置させることにより、小円部１７はインナーリング１０よりも小径の平面部となる。打栓装着時の打栓力は小円部１７を介してインナーリングに直達するので、打栓時の衝撃による弱化線９の変形を少なくできる。鍔部１９はヒンジ部６と反対側で周縁部１８から突出して形成され、鍔部１９の上面には開蓋時の鍔部の変形を防止する補強リブ２０が形成されている。なお、リブ２０は小円部よりも突出しない厚みにするのが、打栓装着性の点から望ましい。
【００２２】
ヒンジ部６は図５に示されるように、折れ目１２aを有する一対のヒンジ１２、から構成され、該ヒンジ１２の間に下方に自由端１３aを有する舌片状の突片１３からなる保持突起が上蓋の天面の周縁部から垂下して形成されており、図６a乃至図６dに示すように、該突片１３は、その下方自由端１３aが、上蓋５の開放時に容器口部２の上縁部１５を乗り越えるように形成されているので、突片１３の下方外側面が、口部２の上面により拘束され、従って容器１を傾けて内容物を排出する場合においても、上蓋５の開放状態を維持することができる。
【００２３】
上記した保持突起の形成箇所および形状は、上記したものに留まらず、上蓋開放時に容器口部を乗り越えて、容器口部に係止して上蓋を開放状態に保つことができるものであれば良い。例えば、保持突起の形成箇所をヒンジの両側にしたり、保持突起の形状を台形等にすることもできる。
【００２４】
荷重受け部１４を明示するため、ピルファープルーフバンド１１を除去し、上蓋５を１８０度開いた状態の平面図を図４に示す。荷重受け部１４は上蓋５の天面１６から垂下し、その下端部が口部２の上縁部１５に当接する環状突条である。該荷重受け部１４はインナーリング１０よりも外方に形成され、上蓋天面１６の縁部との間に環状に形成される。荷重受け部１４の下端面の角部には、曲面部である容器口部に当接する環状小突起１４bが形成されている。上蓋閉蓋時には荷重受け部の下端部１４aおよび環状小突起１４bが容器口部の上縁部１５に当接するように形成されている。該荷重受け部１４を設けたことによって、ヒンジ部６やピルファープルーフバンド１１を口部２の上縁部１５付近の位置あるいはそれよりも上方の位置に設けた場合においても、ヒンジキャップ３の打栓装着時にこれらの部分の変形や破損を招くことがなく、また使用時にピルファープルーフバンド１１を剥ぎ取った後でも、上蓋５の口部２に対する相対位置が安定して保たれるのでヒンジ部１２，１２による上蓋５の開閉操作を円滑に行うことができるし、上蓋５閉鎖時におけるインナーリング１０による容器のシーリング効果を安定的に保つことができる。図４において前記荷重受け部１４は環状に形成されているが、他の形状も取ることが出来、例えば容器口部との当接面が平坦状であっても良いし、また間欠状に形成されていても良い。さらに荷重受け部は単体で形成してもインナーリングと一体に形成しても良い。
【実施例２】
【００２５】
本発明のヒンジキャップは、実施例1に示した金属缶容器のほか、ガラス容器、合成樹脂容器などに対しても適用が可能である。
【図面の簡単な説明】
【００２６】
【図１】本発明の実施例１を示すヒンジキャップの開封前の側断面図である。
【図２】図１に示すヒンジキャップの開蓋時の側断面図である。
【図３】図１に示すものの平面図である。
【図４】本発明のヒンジキャップの上蓋を１８０度開蓋した時の平面図である。
【図５】図１に示すヒンジキャップのヒンジ部の拡大側面図である。
【図６ａ】図１に示したヒンジキャップの開放保持手段の作用を示す説明図で、上蓋の閉蓋時を示す。
【図６ｂ】図１に示したヒンジキャップの開放保持手段の作用を示す説明図で、上蓋が途中まで開蓋された状態を示す。
【図６ｃ】図１に示したヒンジキャップの開放保持手段の作用を示す説明図で、上蓋が図６ｂよりもさらに開蓋された状態を示す。
【図６ｄ】図１に示したヒンジキャップの開放保持手段の作用を示す説明図で、上蓋の開蓋時を示す。
【符号の説明】
【００２７】
１．容器
２．口部
３. ヒンジキャップ
４．固定部
５．上蓋
６．ヒンジ部
７．固定部内周壁
８．くびれ部
９．弱化線
１０．インナーリング
１１．ピルファープルーフバンド
１２．ヒンジ
１３．突片
１４．荷重受け部
１５．口部上縁部
１６．天面
１７．小円部
１８．周縁部
１９．鍔部
２０．リブ
【図１】
0005080931.tif 000002
【図２】
0005080931.tif 000003
【図３】
0005080931.tif 000004
【図４】
0005080931.tif 000005
【図５】
0005080931.tif 000006
【図６ａ】
0005080931.tif 000007
【図６ｂ】
0005080931.tif 000008
【図６ｃ】
0005080931.tif 000009
【図６ｄ】
0005080931.tif 000010